(57)【特許請求の範囲】
【請求項１】
一辺に２以上の切込みによって歯が形成されている板状のネット固定部と、前記ネット固定部に固定された、躯体に取り付くための取付き部とを有し、前記ネット固定部の前記歯は、ひとつおきに板厚方向にずれて変位していることを特徴とする緑化ネット保持具。
【請求項２】
一辺に２以上の切込みによって歯が形成されている板状のネット固定部と、前記ネット固定部に固定された、躯体に取り付くための取付き部とを有し、前記取付き部は、前記ネット固定部と垂直であり互いに平行な２枚の側板と、前記ネット固定部と平行で前記２枚の側板を貫通する棒状の引っかかり部を有することを特徴とする緑化ネット保持具。
【請求項３】
前記取付き部の前記引っかかり部は雄ネジ部を有しており、前記２枚の側板の一方は前記ネット固定部に固定されており、前記２枚の側板の他方は可動であり、前記引っかかり部によって前記２枚の側板をネジ留めすることができるようになっていることを特徴とする請求項２に記載の緑化ネット保持具。
【請求項４】
前記ネット固定部に対して前記取付き部が板厚方向に延びていることを特徴とする請求項１に記載の緑化ネット保持具。
【発明の詳細な説明】
【技術分野】
【０００１】
本発明はベランダや窓前に取り付けて、蔓性植物を這わせることによって壁面緑化するために用いられる緑化ネットを固定するための緑化ネット保持具に関する。
【背景技術】
【０００２】
ベランダや窓前をゴーヤやアサガオなどの蔓性植物で壁面緑化することが広く行われている。最近では、ベランダや窓前に樹脂等でできたグリッド形状の緑化ネットを張り、その緑化ネットに蔓性植物を這わせることが行われている。緑化ネットをベランダや窓前に張る方法として一般的なのは、軒天にヒートンや洋灯吊のようなフックを複数つけ、そのフックに横架材を渡し、その横架材にひもを縦横に渡し緑化ネットを取り付ける方法である（例えば特許文献１または特許文献２参照）。
しかし、横架材の使用は、設置時にしばしば問題を生じさせる。例えばフックの間隔が横架材より短い場合には、横架材を切断する手間や時間を要する。逆にフックの間隔が横架材よりも長い場合には、横架材の重ねシロが外見上見苦しくなることがあり、また、横架材を接続する工夫が必要になることがある。そのほか、横架材にネットを取り付けることにも手間を要することがある。とくに腰壁よりも低い位置にある植栽スペースから上部軒天までのベランダ空間に緑化ネットを張る場合には横架材を用いて撓まないようにネットを張るのは作業に手間がかかる。また取り付けたネットの取り外しも手間のかかる作業になる。
【先行技術文献】
【特許文献】
【０００３】
【特許文献１】特願２００８−１２４１０８号公報
【特許文献２】実用新案登録３１３６１６０号
【発明の概要】
【発明が解決しようとする課題】
【０００４】
本発明は、上記の問題点に鑑みてなされたもので、その目的は壁面緑化をする際に、簡単に施工できかつ仕上がりが美しく見せられるようにするために、横架材を使用せずに、フックのみでベランダや窓前に市販の緑化ネットを保持できるようにするための緑化ネット保持具を提供することである。
【課題を解決するための手段】
【０００５】
本発明は、壁面緑化をする際に簡単に施工できかつ仕上がりが美しく見せられるようにするための手段として、緑化ネット保持具が一辺に２以上の切込みによって歯が形成されている板状のネット固定部と、ネット固定部に固定され躯体に取り付く取付き部を有することによって、横架材を使用せずに緑化ネット保持具のみでベランダや窓前に市販の緑化ネットを保持できるようにし、課題を解決する。
【０００６】
第２の解決手段は、第１の解決手段でさらにネット固定部の歯をひとつおきに板厚方向にずれて変位させるようにすることである。
【０００７】
第３の解決手段は、第１の解決手段でさらにネット固定部の切込みをV字型の切込みとすることである。
【０００８】
第４の解決手段は、第１〜第３の解決手段で取付き部を、ネット固定部と垂直であり互いに平行な２枚の側板と、ネット固定部と平行で２枚の側板を貫通する棒状の引っかかり部を有するようにすることである。
【０００９】
第５の解決手段は、第４の解決手段で引っかかり部に雄ネジ部を形成し、２枚の側板の一方をネット固定部に固定し、２枚の側板の他方を可動とし、引っかかり部によって２枚の側板をネジ留めすることができるようにすることである。
【００１０】
第６の解決手段は、第１〜第３の解決手段でネット固定部に対して取付き部が板厚方向に延びるようにすることである。
【発明の効果】
【００１１】
請求項１の緑化ネット保持具はネット固定部の切込みにネットの横紐を引っかけることができるので、横架材を必要とせずに簡単に撓みなくネットを張ることができる。
【００１２】
請求項２の緑化ネット保持具では側面にV字型隙間が形成されるので、固定されたネットは外れにくくなるとともに、左右へもずれにくくなる。また、ネットの位置調節がより容易である。さらに、太さが異なる横紐を持つネットを固定することができる。
【００１３】
請求項３の緑化ネット保持具では切込みがV字型であるので、固定されたネットは外れにくくなるとともに、左右へもずれにくくなる。また、ネットの位置調節がより容易である。さらに、太さが異なる横紐を持つネットを固定することができる。
【００１４】
請求項４の緑化ネット保持具は、引っかかり部を既存フックに引っかけて躯体に取り付けることができる。平行な２枚の側板は横ぶれを阻止する。
【００１５】
請求項５の緑化ネット保持具では、側板の一方が可動であるので、引っかかる既存フックの大きさに関する制限が緩和される。また、既存フックがヒートンであっても引っかけるのが容易である。さらにネジで２枚の側板を締め付けることによって横ぶれ防止の機能が向上する。
【００１６】
請求項６の緑化ネット保持具は取付き部が板厚方向に延びているので腰壁等の垂直面に取り付けることができる。
【図面の簡単な説明】
【００１７】
【図１】本発明の第１の実施形態による緑化ネット保持具の構成を示す斜視図である。
【図２】本発明の第１の実施形態による緑化ネット保持具にネットの横紐を引っかけた例を示す斜視図である。
【図３】本発明の第１の実施形態による緑化ネット保持具の変形例を示す正面図である。
【図４】本発明の第１の実施形態による緑化ネット保持具の別の変形例を示す正面図である。
【図５】本発明の第１の実施形態による緑化ネット保持具の使用状態を示す図である。
【図６】本発明の第２の実施形態による緑化ネット保持具の構成を示す斜視図である。
【図７】本発明の第２の実施形態による緑化ネット保持具の使用状態を示す側面図である。
【図８】本発明の第３の実施形態による緑化ネット保持具の構成を示す正面図である。
【図９】本発明の第４の実施形態による緑化ネット保持具の構成を示す正面図である。
【図１０】本発明の第４の実施形態による緑化ネット保持具の取り付け状態を示す側面図である。
【図１１】本発明の第５の実施形態による緑化ネット保持具の構成を示す分解斜視図である。
【図１２】本発明の第６の実施形態による緑化ネット保持具の構成を示す斜視図である。
【図１３】本発明の緑化ネット保持具を設置したベランダ空間緑化の例を示す図である。
【符号の説明】
【００１８】
１００、１１０、１２０、２００、３００、４００、５００、６００：  緑化ネット保持具
１、６、１１、２１、３１、４１、５１、６１：  ネット固定部
２、７、１２、２２、３２、４２、５２、６２：  取付き部
３、８、１３、２３、３３、４３、５３、６３：  切込み
４、９、１４、２４、３４、４４、５４、６４：  歯
１５：  略円形に拡げられた切込みの下端部
２４Ａ、２４Ｂ、２４Ｃ、２４Ｄ：  個々の歯
２５：  隙間
４５、４６、５５、５６：  側板
４７、５７：  引っかかり部
６８：  取付き部の板状形状部分
１００１：  躯体
１００２：  上部庇
１００３：  ベランダ腰壁
１１００：  緑化ネット
１２０１、１２０２、１２０３、１２０４、１２１０：  緑化ネット横紐
１２５１、１２５２：  緑化ネットの結び目
１３００：  蔓性植物
１３０１：  緑化スペース
１５００：  既存フック
【発明を実施するための形態】
【００１９】
図１〜５を参照して本発明の緑化ネット保持具の第１の実施形態について説明する。図１において緑化ネット保持具１００はネット固定部１と取付き部２により構成されている。図１では取付き部２がネット固定部１に対し、鉛直上向きに延びるように緑化ネット保持具１００を置いた場合を示している。ネット固定部１は緑化ネット保持具１００にネット１１００（図２）を留めるための部位である。ネット固定部１は板状であり、所定の間隔で上縁部に開放する同じ長さの切込み３が入っている。切込み３によって上方に延びる鍬状の歯４が形成されている。ネット固定部１に対して取付き部２は切込み３の延びる方向と平行な方向で切込み３が開いている向きに延びている。この取付き部２は緑化ネット保持具１００を躯体１００１（図５）に取付けるための部位である。取付き部２の形状はネジ状や尖状の形状で躯体１００１（図５）に取り付けることができる。第１の実施形態の緑化ネット保持具１００は軒天に取り付けるのが好適である。取付き部２を天井面に取り付けるとネット固定部１は切込み３が正面から見て鉛直上側に並ぶようにすることができる。
【００２０】
取付き部２の形状については接着剤や治具等を介して躯体１００１（図５）に取り付けることができる形状を有していてもよい。
【００２１】
図２に緑化ネット保持具１００のネット固定部１の切込み３にネット１１００の横紐１２０１を引っかけて固定する様子を示している。切込み３を縫うようにネットの横紐１２０１を通すことによって、ネットの横紐１２０１を固定する。横紐１２０１を左右に移動させることによってネット１１００の位置を調節することができる。結び目１２５１が切込み３に引っかかることで、ネットの横紐１２０１の過度の移動が阻止される。
【００２２】
図３の緑化ネット保持具１１０では歯９の幅が切込み８の幅よりも小さくなっている。図３の実施例の緑化ネット保持具１１０は図１の緑化ネット保持具１００よりも太いネットの横紐を固定することに好適である。
【００２３】
図４の緑化ネット保持具１２０では切込み１３の下端部１５が略円形に拡げられている。切込み１３の幅はネット１１００の太さよりもやや細く、下端部１５の大きさはネット１１００の太さよりも大きく、かつネットの結び目１２５２よりも小さいとよい。図４の実施例の緑化ネット保持具１２０では、ネットの横紐１２１０が切込みの下端部１５を通ると左右への移動が容易になるのでネットの位置の調節が一層しやすくなる。また、下端部１５の大きさはネットの結び目１２５２よりも小さいので横紐１２１０の過度の移動が阻止される。
【００２４】
図５は第１の実施形態の緑化ネット保持具１００を躯体１００１の軒天に取り付けてネット１１００を張り、下方より蔓性植物１３００を這わせる使用例を示している。
【００２５】
図６、７を参照して本発明の緑化ネット保持具の第２の実施形態について説明する。図６に示す緑化ネット保持具２００では、第１の実施形態についての説明と同様に、ネット固定部２１に対し、取付き部２２が鉛直上向きに延びるように緑化ネット保持具２００を置いた場合を示している。第２の実施形態の緑化ネット保持具２００は軒天に取り付けるのが好適である。ネット固定部２１は板状であり、所定の間隔で上縁部に開放する同じ長さの切込み２３が入っている。切込み２３に隣接して上方に延びる歯２４が並ぶのも同様である。第２の実施形態の緑化ネット保持具２００ではネット固定部２１の歯２４は一つおきに板厚方向に折り曲がっており、断面に対して隙間２５を形成している。図６、７を参照すると上記の構成を理解しやすい。図中、２４Ａ,２４Ｂ,・・・は個々の歯を指す。図６では歯２４Ｂは板厚方向に折り曲げられている。歯２４Ｄも板厚方向に折り曲げられている。このように一つおきに歯２４を板厚方向に折り曲げると図７の側面図に示したように断面について隙間２５が形成される。同様に板厚方向、互い違いの向きにひとつおきの歯を折り曲げることによって、隙間２５を形成してもよい。ネット固定部２１の隙間２５にネットの横紐１２０２を引っかけて固定する。
【００２６】
図７の側面図を参照してネットの横紐の固定について説明する。ネットの横紐１２０２を隙間２５に通すことで固定することができる。横紐１２０２をV字型隙間２５の底に向かって引き込むことで横紐１２０２がより確実に固定され、外れにくくなるとともに、左右へもよりずれにくくなる。横紐１２０２の引き込みを緩和すると、横紐１２０２の左右への移動が容易になるのでネットの位置の調節が一層しやすくなる。また、ネットの結び目がV字型隙間２５に引っかかるので横紐１２０２の過度の移動が阻止される。さらに、隙間２５の断面がV字形状のため、同じ緑化ネット保持具を用いて横紐１２０２、１２０３の太さが異なるネットを固定することができる。
【００２７】
図８を参照して本発明の緑化ネット保持具の第３の実施形態を説明する。図８に示す緑化ネット保持具３００は、第１の実施形態についての説明と同様に、ネット固定部３１に対し、取付き部３２が鉛直上向きに延びるように緑化ネット保持具３００を置いた場合を示している。第３の実施形態の緑化ネット保持具３００は軒天に取り付けるのが好適である。ネット固定部３１は板状であり、正面から見て切込み３３がV字型である。ネットの横紐１２０４は切込み３３を縫うように通すことで固定される。横紐１２０４をV字型切込み３３の底に向かって引き込むことで横紐１２０４がより確実に固定され、外れにくくなるとともに、左右へもよりずれにくくなる。横紐１２０４の引き込みを緩和すると、横紐１２０４の左右への移動が容易になるのでネットの位置の調節が一層しやすくなる。また、ネットの結び目がV字型切込み３３に引っかかるので横紐１２０４の過度の移動が阻止される。さらに切込み自体がV字型形状のため、同じ緑化ネット保持具３００を用いて異なる太さの横紐を有するネットを固定することができる。
【００２８】
図９、１０を参照して本発明の緑化ネット保持具の第４の実施形態について説明する。図９は、ネット固定部４１の切込み４３が正面を向くように置いた場合の緑化ネット保持具４００の正面図である。図１０は同じく側面図である。第４の実施形態の緑化ネット保持具４００の取付き部４２は２枚の側板４５、４６と引っかかり部４７から構成されている。２枚の側板４５、４６は一対の板状の部品であり、その各々はネット固定部４１と垂直であり、互いに平行である。そして、下端部がネット固定部４１に取り付けられている。引っかかり部４７はピン状であり、２枚の側板４５、４６を貫通して差し渡している。
【００２９】
第４の実施形態の緑化ネット保持具４００は、躯体１００１に直接取り付けずに、躯体１００１に付いたヒートンや洋灯吊を例とする既存のフック１５００を利用して躯体１００１に取り付けることができる。引っかかり部４７を既存のフック１５００に引っかけることによって、緑化ネット保持具４００を既存のフック１５００に取り付ける。その際、既存のフック１５００を両側から挟みこむ２枚の側板４５、４６があるため、ネット方向から横向きの力が加わっても２枚の側板４５、４６が既存のフック１５００に当たり横ぶれが阻止される。そのため、横ぶれによるネットの撓みが抑制される。
【００３０】
図９および図１０ではネット固定部４１の形状は図１に示した第１の実施形態の緑化ネット保持具１００と同様の切込み４３を有しているが、この形状に限定されるものではなく、ネット固定部４１の形状は第２の実施形態のように鍬状の歯４４はひとつおきに板厚方向に折り曲げられていることによってV字型の隙間が形成されていて、隙間にネットの横紐を引っ掛けてネットを固定できるようにされていてもよいし、あるいは、第３の実施形態のようにV字型の切込みが形成されていてもよい。また、ネット固定部４１は左右別体から成っていてもよい。ネット固定部４１及び切込み４３は水平であってもよい。
【００３１】
図１１を参照して本発明の緑化ネット保持具の第５の実施形態について説明する。図１１に示す緑化ネット保持具５００の取付き部５２は、第４の実施形態の緑化ネット保持具４００と同様に２枚の側板５５、５６と引っかかり部５７から構成されている。２枚の側板５５、５６の一方５５はネット固定部５１と垂直にネット固定部５１に固定された固定プレートであり、他方５６は可動プレートである。既存フックに引っかかる引っかかり部５７は雄ネジであり、頭部にはすりわりが設けられている。固定プレート５５には引っかかり部５７の軸部を通すが頭部を通さない穴が開けられている。可動プレート５６には雌ネジが切られており、引っかかり部５７によって既存フックを挟み込んで固定プレート５５と可動プレート５６を締め付けることができるようになっている。この締め付けにより、固定プレート５５はネット固定部５１に固定されているので、可動プレート５６もネット固定部５１に対して固定される。
【００３２】
図１１ではネット固定部５１の形状は図６に示した第２の実施形態の緑化ネット保持具２００と同様に鍬状の歯５４がひとつおきに板厚方向に折り曲げられていることによってV字型の隙間が形成されているが、この形状に限定されるものではなく、ネット固定部５１の形状は第１の実施形態のように所定の間隔で上縁部に開放する同じ長さの切込みが形成されていてもよいし、あるいは、第３の実施形態のようにV字型の切込みが形成されていてもよい。また、引っかかり部５７のネジの形態は上記のものに制限されることはなく、可動プレート５６には雌ネジが切られておらず、引っかかり部５７の軸部が貫通する穴が開いており、締め付けにはナットを用いてもよい。また、引っかかり部５７の頭部の形状も固定プレート５５と可動プレート５６を締め付けることができるネジあるいはボルトとしての機能を持つものであれば特に制限されない。
【００３３】
第５の実施形態の緑化ネット保持具５００では側板５６は可動プレートであるので、利用できる既存フックの大きさに関する制限が緩和される。また、既存フックがヒートンであっても引っかかり部５７をヒートンの輪に通せばよいので、緑化ネット保持具５００を引っかけるのが容易である。さらに、雄ネジの引っかかり部５７で２枚の側板５５、５６を締め付けることによって、既存フックに引っかけた緑化ネット保持具５００の横ぶれ防止の機能が向上する。
【００３４】
図１２を参照して本発明の第６の実施形態について説明する。図１２に示す緑化ネット保持具６００において、取付き部６２はネット固定部６１に対して垂直な方向、すなわちネット固定部６１の板厚方向に延びている。第６の実施形態の緑化ネット保持具６００は躯体の垂直壁に取り付けるのが好適である。取付き部６２の躯体への固定部はネット固定部６１に平行な板状の形状６８を有しており、躯体の垂直壁に木ネジ等で取り付けられるようになっているとさらによい。
【００３５】
図１３を参照して本発明の緑化ネット保持具を用いたベランダ緑化の例を説明する。ベランダ上部の庇に第１の実施形態の緑化ネット保持具１００を設置し、ベランダ手摺の凡そ笠木、手摺付近に第６の実施形態の緑化ネット保持具６００を設置する。ネット１１００を、ベランダ手摺付近のベランダ床の植物１３００を植えた緑化スペース１３０１からベランダ腰壁１００３の垂直面に沿わせ、ベランダ手摺の凡そ笠木、手摺付近に設置した緑化ネット保持具６００に固定する。さらにネットを空中に張り、ベランダ上部庇１００２に設置した緑化ネット保持具１００に固定する。以上の手順によれば横架材を使用せず、ネット１１００を撓まないように簡単に張ることができる。さらにベランダ腰壁１００３を太陽光の透過性の高い素材でつくれば、緑化スペースに光があたりやすくなる。
【産業上の利用可能性】
【００３６】
本発明の緑化ネット保持具によればベランダや窓前をゴーヤやアサガオなどの蔓性植物で壁面緑化することがより手軽になされるようになると考えられる。
【図１】
0005566805.tif 000002
【図２】
0005566805.tif 000003
【図３】
0005566805.tif 000004
【図４】
0005566805.tif 000005
【図５】
0005566805.tif 000006
【図６】
0005566805.tif 000007
【図７】
0005566805.tif 000008
【図８】
0005566805.tif 000009
【図９】
0005566805.tif 000010
【図１０】
0005566805.tif 000011
【図１１】
0005566805.tif 000012
【図１２】
0005566805.tif 000013
【図１３】
0005566805.tif 000014